(57)【要約】【課題】壁や天井等のコーナー部に他の部分との一体感を持たせることを容易化するコーナー用スパンドレル及びこれを用いた仕上げ構造を提供すること。【解決手段】本発明に係るコーナー用スパンドレルは、曲がり本体部２Ｃと、該曲がり本体部２Ｃの両端に設けられ、それぞれ別のスパンドレルと係合する係合部３とを有し、前記曲がり本体部２Ｃは、前方に迫り出す波型部分を含み、該波型部分はその中間で進行方向が変化する波状に形成されている。【選択図】図１
2019019484.tif 000002
【特許請求の範囲】
【請求項１】
曲がり本体部と、該曲がり本体部の両端に設けられ、それぞれ別のスパンドレルと係合する係合部とを有し、
前記曲がり本体部は、前方に迫り出す波型部分を含み、該波型部分はその中間で進行方向が変化する波状に形成されていることを特徴とするコーナー用スパンドレル。
【請求項２】
請求項１に記載のコーナー用スパンドレルと、ストレート用スパンドレルとを具備し、
前記ストレート用スパンドレルは、直進本体部と、該直進本体部の両端に設けられ、それぞれ別のスパンドレルと係合する係合部とを有し、
前記直進本体部は、前方に迫り出す波型部分を含み、該波型部分はその中間で進行方向が変化しない波状に形成され、
前記コーナー用スパンドレルの前記曲がり本体部の前記波型部分の左右両端部は、前記直進本体部の前記波型部分の左右両端部と同一形状にしてあることを特徴とする仕上げ構造。
【請求項３】
前記波型部分の形状が相互に異なる複数の前記ストレート用スパンドレルを具備し、
前記コーナー用スパンドレルの前記曲がり本体部の前記波型部分の左端部は、複数の前記直進本体部の何れか一つの前記波型部分の左端部と同一形状であり、
前記コーナー用スパンドレルの前記曲がり本体部の前記波型部分の右端部は、複数の前記直進本体部の何れか一つの前記波型部分の右端部と同一形状である請求項２に記載の仕上げ構造。
【請求項４】
建物の開口縁において隣り合う２辺の一方に沿って前記ストレート用スパンドレルが設けられ、他方に沿って前記コーナー用スパンドレルが設けられている請求項２又は３に記載の仕上げ構造。
【発明の詳細な説明】
【技術分野】
【０００１】
本発明は、例えば、仕上げ材として外壁、内壁や天井等におけるコーナー部に用いられるコーナー用スパンドレル及びこれを用いた仕上げ構造に関する。
【背景技術】
【０００２】
従来、建物の出隅コーナー部は、見切り材により構成するか、二つの壁板材の先端をコーナー部において対向させ、その間にガスケットを設ける、といった施工が行われている（特許文献１）。
【先行技術文献】
【特許文献】
【０００３】
【特許文献１】特開２０００−８５８４号公報
【発明の概要】
【発明が解決しようとする課題】
【０００４】
しかし、上記施工方法によって得られる仕上げ構造では、見切り材やガスケットが存在するコーナー部に他の部分との一体感を持たせ難く、このことが意匠性の向上を図る上でのネックになるといった問題がある。
【０００５】
本発明は上述の事柄に留意してなされたもので、その目的は、壁や天井等のコーナー部に他の部分との一体感を持たせることを容易化するコーナー用スパンドレル及びこれを用いた仕上げ構造を提供することにある。
【課題を解決するための手段】
【０００６】
上記目的を達成するために、本発明に係るコーナー用スパンドレルは、曲がり本体部と、該曲がり本体部の両端に設けられ、それぞれ別のスパンドレルと係合する係合部とを有し、前記曲がり本体部は、前方に迫り出す波型部分を含み、該波型部分はその中間で進行方向が変化する波状に形成されている（請求項１）。
【０００７】
一方、上記目的を達成するために、本発明に係る仕上げ構造は、請求項１に記載のコーナー用スパンドレルと、ストレート用スパンドレルとを具備し、前記ストレート用スパンドレルは、直進本体部と、該直進本体部の両端に設けられ、それぞれ別のスパンドレルと係合する係合部とを有し、前記直進本体部は、前方に迫り出す波型部分を含み、該波型部分はその中間で進行方向が変化しない波状に形成され、前記コーナー用スパンドレルの前記曲がり本体部の前記波型部分の左右両端部は、前記直進本体部の前記波型部分の左右両端部と同一形状にしてある（請求項２）。
【０００８】
上記仕上げ構造が、前記波型部分の形状が相互に異なる複数の前記ストレート用スパンドレルを具備し、前記コーナー用スパンドレルの前記曲がり本体部の前記波型部分の左端部は、複数の前記直進本体部の何れか一つの前記波型部分の左端部と同一形状であり、前記コーナー用スパンドレルの前記曲がり本体部の前記波型部分の右端部は、複数の前記直進本体部の何れか一つの前記波型部分の右端部と同一形状であるとしてもよい（請求項３）。
【０００９】
上記仕上げ構造において、建物の開口縁において隣り合う２辺の一方に沿って前記ストレート用スパンドレルが設けられ、他方に沿って前記コーナー用スパンドレルが設けられていてもよい（請求項４）。
【発明の効果】
【００１０】
本願発明では、壁や天井等のコーナー部に他の部分との一体感を持たせることを容易化するコーナー用スパンドレル及びこれを用いた仕上げ構造が得られる。
【００１１】
すなわち、本願の請求項１に係る発明のコーナー用スパンドレル及び請求項２に係る発明の仕上げ構造では、壁や天井等のコーナー部に見切り材等を用いる必要が無くなる上、スパンドレルによる立体的なデザインの実現が可能となる。
【００１２】
請求項３に係る発明の仕上げ構造では、複数種のストレート用スパンドレルを用いることにより、仕上げ構造のデザインに多様性を持たせることができる。
【００１３】
請求項４に係る発明の仕上げ構造では、建物の開口縁に存在するスパンドレルに連続性を持たせ、この開口縁に形成されたコーナー部に他の部分との一体感を持たせることが容易となる。
【図面の簡単な説明】
【００１４】
【図１】（Ａ）〜（Ｃ）は、本発明の一実施の形態に係る仕上げ構造に用いる二種のストレート用スパンドレル及び一種のコーナー用スパンドレルの構成を概略的に示す説明図である。
【図２】（Ａ）及び（Ｂ）は、前記仕上げ構造の要部の構成を概略的に示す正面図及び横断面図である。
【図３】前記コーナー用スパンドレルの構成を概略的に示す説明図である。
【図４】（Ａ）及び（Ｂ）は、前記仕上げ構造を適用した開口縁を有する建物の要部の構成を概略的に示す正面図及び横断面図である。
【発明を実施するための形態】
【００１５】
本発明の実施の形態について図面を参照しながら以下に説明する。
【００１６】
本実施の形態に係る仕上げ構造は、仕上げ面（外壁、内壁、天井等）におけるストレート部にランダムに配される二種のストレート用スパンドレルＡ，Ｂと、コーナー部に配される一種のコーナー用スパンドレルＣとを具備する（図１（Ａ）〜（Ｃ）、図２（Ａ）及び（Ｂ）参照）。尚、本例の仕上げ構造は、止水ラインを形成する壁体の外側にダブルスキンとしてスパンドレルＡ〜Ｃを設けるものであり、既存建築物の改修計画にも応用可能である。
【００１７】
スパンドレルＡ〜Ｃは、例えばアルミニウム製の押出型材によって構成され、図１（Ａ）〜（Ｃ）に示すように、本体部２と、本体部２の両端に設けられ、それぞれ別のスパンドレルと係合する係合部３とを有する。
【００１８】
ストレート用スパンドレルＡ，Ｂの本体部２は、前方に迫り出し、その中間で進行方向が変化しない（各波の前端が同一平面上に位置する）波状に形成された波型部分を含む直進本体部２Ａ，２Ｂとして構成されているのに対して、コーナー用スパンドレルＣの本体部２は、前方に迫り出し、その中間で進行方向が変化する（各波の前端が同一平面上に位置しない）波状に形成された波型部分を含む曲がり本体部２Ｃとして構成されている。
【００１９】
ここで、二種の直進本体部２Ａ，２Ｂの波型部分の形状は相互に異なっているが、二種のストレート用スパンドレルＡ，Ｂをランダムに並べても隣接する本体部２（直進本体部２Ａ，２Ｂ）の波型部分の境目において連続性が保たれる（波が断絶しない）ように構成されている。
【００２０】
一方、各スパンドレルＡ〜Ｃの係合部３は、本体部２の一端側に形成された雄部４と、本体部２の他端側に形成された雌部５とを具備し、雄部４及び雌部５は、それぞれ隣り合うスパンドレルＡ〜Ｃの雌部５及び雄部４と係合するように形成されている。
【００２１】
また、コーナー用スパンドレルＣの本体部（曲がり本体部２Ｃ）２は、波型部分の背面を覆う基板部分６を有し、基板部分６はその長手方向の中間部分で屈曲又は湾曲しているとともに、その中間部分は波型部分の中間部分に繋がっている。
【００２２】
さらに、コーナー用スパンドレルＣの曲がり本体部２Ｃの波型部分の左端部は、直進本体部２Ａ，２Ｂの何れか一つの波型部分の左端部と同一形状であり、コーナー用スパンドレルＣの曲がり本体部２Ｃの波型部分の右端部は、直進本体部２Ａ，２Ｂの何れか一つの波型部分の右端部と同一形状である。本例では、図３に示すように、コーナー用スパンドレルＣの曲がり本体部２Ｃの波型部分の左側部は、直進本体部２Ｂの波型部分の左側部と同一形状であり、コーナー用スパンドレルＣの曲がり本体部２Ｃの波型部分の右側部は、直進本体部２Ａの波型部分の右側部と同一形状であって、しかも、コーナー用スパンドレルＣの本体部２Ｃの波型部分の左側部と右側部は、相互にスムーズ（段差が形成されないよう）に繋がりつつ、その延びる向きは相互に異なる（本例では直交する）ように構成されている。
【００２３】
そして、上述したように、二種の直進本体部２Ａ，２Ｂの波型部分は、二種のストレート用スパンドレルＡ，Ｂをランダムに並べても隣接する本体部２（直進本体部２Ａ，２Ｂ）の波型部分の境目において連続性が保たれるように構成されていることから、同様の連続性は、コーナー用スパンドレルＣとこの左右に繋がるスパンドレルＡ，Ｂとの間においても保たれることになる。
【００２４】
本例の仕上げ構造では、上記のように構成されたコーナー用スパンドレルＣを用いることにより、壁や天井等のコーナー部に見切り材等を用いる必要が無くなる上、スパンドレルによる立体的なデザインの実現が可能となる。また、二種のストレート用スパンドレルＡ，Ｂを用いることにより、仕上げ構造のデザインに多様性を持たせることもできる。
【００２５】
図４（Ａ）及び（Ｂ）は、例えばシャッターで開閉される開口Ｏを有する建物の外壁にスパンドレルＡ〜Ｃを具備する仕上げ構造を設けた例を示す。この例では、開口Ｏの左側の壁Ｗ１から、開口Ｏの上方に位置する垂れ壁Ｗ２を経て、開口Ｏの右側の壁Ｗ３に至るまで、上下方向に延びるスパンドレルＡ〜Ｃを並べてある。ここで、コーナー用スパンドレルＣは、開口Ｏの左右両縁に位置する部分のみに設けてあり、他の部分には、二種のストレート用スパンドレルＡ，Ｂをランダムに配置してある。すなわち、建物の開口縁において隣り合う２辺の一方の辺（図４（Ａ）の例では上辺）に沿ってこの辺が延びる方向と直交するようにストレート用スパンドレルＡ，Ｂを設け、他方の辺（図４（Ａ）の例では左右の辺）に沿ってこの辺が延びる方向と平行となるようにコーナー用スパンドレルＣを設けてある。なお、図４（Ｂ）中の破線は、垂れ壁Ｗ２に設けられたスパンドレルＡ，Ｂを示す。
【００２６】
このようにスパンドレルＡ〜Ｃを設けることにより、建物の開口縁に存在するスパンドレルＡ〜Ｃに連続性を持たせ、この開口縁に形成されたコーナー部に他の部分との一体感を持たせることが容易となる。
【００２７】
なお、本発明は、上記の実施の形態に何ら限定されず、本発明の要旨を逸脱しない範囲において種々に変形して実施し得ることは勿論である。例えば、以下のような変形例を挙げることができる。
【００２８】
上記実施の形態では、二種のストレート用スパンドレルＡ，Ｂと、一種のコーナー用スパンドレルＣを用いているが、これに限らず、三種以上のストレート用スパンドレル、二種以上のコーナー用スパンドレルを用いるようにしてもよい。
【００２９】
スパンドレルＡ〜Ｃの波型部分の波形状は、ランダムなものに限らず、矩形波やサイン波等の規則性を有する波としてもよい。
【００３０】
上記実施の形態では、コーナー用スパンドレルＣにのみ基板部分６を設けてあるが、ストレート用スパンドレルＡ，Ｂの何れか一方又は両方に基板部分を設けるようにしてもよい。但し、ストレート用スパンドレルＡ，Ｂに設ける基板部分は、基板部分６のようにその長手方向の中間部分で屈曲又は湾曲させる必要はない。
【００３１】
上記実施の形態のコーナー用スパンドレルＣは、コーナー角度（コーナー部を形成する二面のなす角度）が９０°のコーナー部に用いて好適となるように構成されているが、他のコーナー角度を有するコーナー部に好適となるようにコーナー用スパンドレルＣを構成してあってもよく、例えば出隅コーナー部ではなく入隅コーナー部に用いることができるように構成してもよい。また、基板部分６を設けないようにしてもよい。
【００３２】
図４（Ａ）に示す例では、スパンドレルＡ〜Ｃを立てて（略鉛直方向に向けて）建物の内壁に用いているが、このように建物の内壁や外壁にスパンドレルＡ〜Ｃを用いる場合、スパンドレルＡ〜Ｃを横に寝かせて（略水平方向に向けて）もよい。但し、特にスパンドレルＡ〜Ｃを外壁に用いる場合には、スパンドレルＡ〜Ｃの波型部分に、雨水等が溜まる部分が形成されないようにしておくことが望ましい。もちろん、スパンドレルＡ〜Ｃは、建物の内壁や外壁に限らず、天井等にも利用可能である。
【００３３】
上記変形例どうしを適宜組み合わせてもよいことはいうまでもない。
【符号の説明】
【００３４】
２    本体部
２Ａ  直進本体部
２Ｂ  直進本体部
２Ｃ  曲がり本体部
３    係合部
４    雄部
５    雌部
６    基板部分
Ａ    ストレート用スパンドレル
Ｂ    ストレート用スパンドレル
Ｃ    コーナー用スパンドレル
Ｏ    開口
Ｗ１  壁
Ｗ２  垂れ壁
Ｗ３  壁
【図１】
2019019484.tif 000003
【図２】
2019019484.tif 000004
【図３】
2019019484.tif 000005
【図４】
2019019484.tif 000006